(57)【要約】【課題】監視時の故障感知器の特定及び火災発報時の火災検出感知器の特定を可能にして信頼性を向上する【解決手段】  受信機１から引き出された感知器回線１８−１〜１８−ｍに複数の火災感知器を接続し、回線単位に火災感知器からの共通の火災信号を受信して警報する。火災感知器の固有信号応答部は、受信機１からの下り信号に対し固有信号を応答する。受信機１には、監視時に感知器回線単位に下り信号を送出して火災感知器から固有信号を応答させ、応答信号のない場合に障害と判断して障害表示する断線監視制御部１４と、火災信号の受信時に、火災信号を受信した感知器回線に下り信号を送出して火災を検出している火災感知器から固有信号を応答させ、火災を検出した火災感知器を特定する受信制御部１３を設ける。【選択図】        図１
2005250926.tif 000002
【特許請求の範囲】
【請求項１】
受信機から引き出された感知器回線に複数の火災感知器を接続し、回線単位に火災感知器からの共通の火災信号を受信して警報する火災報知システムに於いて、
前記火災感知器に、前記受信機からの下り信号に対し固有信号を応答する固有信号応答部を設け、
前記受信機に、
監視時に、感知器回線単位に下り信号を送出して前記火災感知器から固有信号を応答させ、当該応答信号のない場合に障害と判断して障害表示する監視制御部と、
前記火災信号の受信時に、火災信号を受信した感知器回線に下り信号を送出して火災を検出している火災感知器から固有信号を応答させ、火災を検出した火災感知器を特定する受信制御部と、
を設けたことを特徴とする火災報知システム。
【請求項２】
請求項１記載の火災報知システムに於いて、前記火災感知器に、同一感知器回線に接続した他の火災感知器からの火災信号の送出を検出して火災信号の送出を抑止する発報検出回路を設けたことを特徴とする火災報知システム。
【請求項３】
請求項１記載の火災報知システムに於いて、前記火災感知器の固有信号応答部は、ＥＥＰＲＯＭ等の不揮発性メモリを備え、該不揮発性メモリの所定のアドレスに特定位置の１ビットのみが他のビットと区別されたビットとなる固有の番号データを記憶し、前記受信機の監視制御部からの下り信号による前記所定アドレスを指定した前記番号データの読出し動作による感知器固有に定められた特定ビットの出力タイミングで固有信号を送出することを特徴とする火災報知システム。
【請求項４】
請求項３記載の火災報知システムに於いて、前記火災感知器の固有信号応答部は、更に、火災信号の送出中は、前記受信機の受信制御部からの下り信号による前記所定アドレスを指定した前記該不揮発性メモリの前記番号データの読出し動作による感知器固有に定められた特定ビットの出力タイミングで前記火災信号の送出を一時的に遮断することを特徴とする火災報知システム。
【請求項５】
請求項３記載の火災報知システムに於いて、前記火災感知器の固有信号応答部は、前記不揮発性メモリからの読出応答信号と火災検出部からの火災信号を入力して発報回路を動作する排他的論理和回路（ＥＸ−ＯＲ回路）を備えたことを特徴とする火災報知システム。
【請求項６】
請求項１記載の火災報知システムに於いて、前記火災感知器の固有信号応答部は、監視時の前記受信機の下り信号に対しては感知器回線の短絡動作によって固有信号を応答し、火災信号の送出は感知器回線の継続的な短絡動作を行い、火災検出時の受信機からの下り信号に対しては感知器回線の短絡解除によって固有信号を応答することを特徴とする火災報知システム。
【発明の詳細な説明】
【技術分野】
【０００１】
本発明は、受信機から引き出された感知器回線に複数の火災感知器を接続し、回線単位に火災感知器からの共通の火災信号若しくは火災表示信号を受信して警報するＰ型の火災報知システムに関する。
【背景技術】
【０００２】
従来、Ｐ型として知られた火災報知システムにあっては、図１３のように、受信機１００から引き出された感知器回線１０２に複数の火災感知器１０４を接続し、回線単位に火災感知器からの火災信号を受信して火災を警報するようにしている。
【０００３】
また感知器回線１０２の終端には終端抵抗１０６を接続して受信機１００で断線を監視している。受信機１００による断線監視は、感知器回線１０２に断線がなければ終端抵抗に規定の電流が流れ、規定の線間電圧が得られることから正常と判断し、一方、断線時には終端抵抗１０６に電流が流れなくなることで線間電圧が規定電圧に対し増加し、この線間電圧の増加を検出して断線と判断し、断線を示す障害警報を出すようにしている。
【０００４】
更に、従来のＰ型火災報知システムにあっては、受信機に発報検索部を設け、火災発報を検出した際に、発報回線に検索用の下り信号を送出して発報した火災感知器を検索し、これに対応して火災感知器に受信機からの下り信号を判別して返送する検索応答部を設け、火災を検出した火災感知器を特定している（特許文献３）。
【０００５】
図１４は、従来のＰ型火災報知システムにおける受信機からの下り信号による火災感知器の応答動作のタイミングチャートであり、火災感知器に設けたＥＥＰＲＯＭの読出動作によって感知器応答を行う場合である。
【０００６】
例えば図１３の感知器回線１０２−１に接続しているいずれかの火災感知器１０４が火災を検出して発報すると、図１４（Ｄ）のように、感知器回線に発報電流Ｉｃを共通の火災信号として流す。このため受信機は感知器回線１０２−１に流れる発報電流Ｉｃを検出して火災受信動作を行い発報レベル４Ｖ、これより高い信号レベル７Ｖと１０Ｖの３値で変化する下り信号に読出コード及びアドレスを含む読出制御信号を変換して送出する。感知器側にあっては、受信した下り信号の４Ｖと７Ｖの変化から、図１４（Ｂ）のように、クロック信号を検出し、電圧信号の７Ｖと１０Ｖの変化から、図１４（Ｃ）のように、ダミークロック、スタートビット、読出オペコード、アドレスビット及びシリアルビット出力用のデータビットからなるデータ信号を検出する。
【０００７】
ここで発報した火災感知器１０４に設けているＥＥＰＲＯＭの読出アドレスには３２ビットの内、例えばデータビットＤ２のみをビット１とし、残りをすべてビット０としたデータが格納されており、このためデータビットＤ２の出力タイミングでビット１が読み出され、これに対応して図１４（Ｄ）のように、感知器回線の発報電流Ｉｃを感知器応答電流Ｉｒに低下させることで、受信機に応答用の上り信号を送出し、この応答タイミングから火災発報した火災感知器を特定する。なお、下り信号として３値を使用する理由は、データと同時にクロックを検出するためである。
【特許文献１】特開平５−１０８９７５号公報
【特許文献２】特開平７−２００９５７号公報
【特許文献３】特開２００１−１８４５７１号公報
【発明の開示】
【発明が解決しようとする課題】
【０００８】
しかしながら、従来のＰ型の火災報知システムにおいては、点検時にのみ火災試験が行われるので、監視時に、火災感知器が故障を起こしていたとしても、この故障は６ケ月に一回というように定期的に行われる火災感知器の火災試験でしか発見することができないという問題があった。
【０００９】
本発明は、このような問題を解決するためになされたものであり、監視時の故障感知器の特定及び火災発報時の火災検出感知器の特定を可能にして信頼性を向上するＰ型の火災報知システムを提供することを目的とする。
【課題を解決するための手段】
【００１０】
この目的を達成するため本発明は次のように構成する。
【００１１】
本発明は、受信機から引き出された感知器回線に複数の火災感知器を接続し、回線単位に火災感知器からの共通の火災信号を受信して警報する火災報知システムに於いて、火災感知器に、受信機からの下り信号に対し固有信号を応答する固有信号応答部を設け、受信機に、監視時に感知器回線単位に下り信号を送出して火災感知器から固有信号を応答させ、当該応答信号のない場合に障害と判断して障害表示する監視制御部と、火災信号の受信時に、火災信号を受信した感知器回線に下り信号を送出して火災を検出している火災感知器から固有信号を応答させ、火災を検出した火災感知器を特定する受信制御部とを設けたことを特徴とする。
【００１２】
これにより監視時にも感知回線単位に下り信号を送出することで、火災感知器から固有信号を応答させ、固有信号の応答のない火災感知器がある場合は、火災感知器の故障あるいは感知器回線の断線と判断して障害表示ができる。
【００１３】
ここで火災感知器には、同一感知器回線に接続した他の火災感知器からの火災信号の送出を検出して火災信号の送出を抑止する発報検出回路を設ける。これによって感知器回線に接続している複数の火災感知器のうち、最初に火災を検出した火災感知器のみが火災信号の送出と下り信号に対する固有信号の応答をすることになる。
【００１４】
火災感知器の固有信号応答部は、ＥＥＰＲＯＭ等の不揮発性メモリを備え、不揮発性メモリの所定のアドレスに特定位置の１ビットのみが他のビットと区別されたビットとなる固有の番号データを記憶し、受信機の監視制御部からの下り信号による所定アドレスを指定した番号データの読出し動作による感知器固有に定められた特定ビットの出力タイミングで固有信号を送出する。
【００１５】
このためＣＰＵを必要とせず、ＥＥＰＲＯＭ等の不揮発性メモリとそのインタフェース回路を設けるという簡単な構成とメモリアクセスを伝送プロトコルとした簡単な通信制御で、火災感知器側から監視時および火災発報時に固有信号を応答させることができ、データ伝送回路とデータ伝送プロトコルを使用した所謂Ｒ型火災報知システムに比べ、大幅なコストダウンが実現でき、その普及を促進する。
【００１６】
火災感知器の固有信号応答部は、更に、火災信号の送出中は、受信機の受信制御部からの下り信号による所定アドレスを指定した不揮発性メモリの番号データの読出し動作による感知器固有に定められた特定ビットの出力タイミングで火災信号の送出を一時的に遮断する。
【００１７】
火災感知器の固有信号応答部は、不揮発性メモリからの読出応答信号と火災検出部からの火災信号を入力して発報回路を動作する排他的論理和回路（ＥＸ−ＯＲ回路）を備える。
【００１８】
火災感知器の固有信号応答部は、監視時の受信機の下り信号に対しては感知器回線の短絡動作によって固有信号を応答し、火災信号の送出は感知器回線の継続的な短絡動作を行い、火災検出時の受信機からの下り信号に対しては感知器回線の短絡解除によって固有信号を応答する。
【発明の効果】
【００１９】
このような本発明の火災報知システムによれば、監視時は、感知器回線単位に、下り信号が定期的に送出され、この下り信号に対し感知器回線に接続している火災感知器は固有信号を順次応答し、受信機で固有信号が得られれば火災感知器は正常と判断し、一方、特定の火災感知器からの固有信号が得られない場合には、火災感知器の故障と判断でき、火災感知器の故障が直ぐに検知され、火災感知器の交換などの対応策を適切にとることができ、火災報知システムの信頼性を向上し、且つ、システムの維持管理も容易にできる。
【００２０】
また感知器回線に接続している複数の火災感知器から固有信号の応答がないような場合には、応答のない火災感知器の部分で感知器回線が断線していることが判断でき、このため従来のように感知器回線の終端に断線監視用の終端抵抗を設けて断線監視電流を流すという手法によることなく、簡単に感知器回線の断線監視を行うこともできる。
【００２１】
さらに火災発報中にあっては、火災発報を受信した感知器回線に対し下り信号を送出することで、火災を検出している火災感知器から固有信号を応答させ、これによって火災を検出した火災感知器を特定し、火災対応や避難誘導を適切にとることができる。
【発明を実施するための最良の形態】
【００２２】
図１は本発明による火災報知システムの説明図である。図１において、受信機１からは感知器回線１８−１〜１８−ｍが引き出され、それぞれ複数の火災感知器４−１１〜４−ｍｎを接続している。感知器回線当りの火災感知器数はｎ台としている。
【００２３】
感知器回線１８−１〜１８−ｍに接続される火災感知器４−１１〜４−ｍｎとしては、光電式煙感知器、半導体式熱感知器、差動式熱感知器、定温式熱感知器等の各種の火災感知器を接続することができる。これらの火災感知器４−１１〜４−ｍｎは、火災を検出したときに感知器回線１８−１〜１８−ｍを短絡させて受信機１に共通信号としての火災信号又は火災表示信号を送出するものである。
【００２４】
また本発明の火災感知器４−１１〜４−ｍｎは、火災検出部に加え、監視時に受信機１から定期的に送信される確認用の下り信号、及び火災発報時の感知器検索用の下り信号に対し上り信号を応答する上り信号応答部を備え、この上り信号によって受信機１における監視時の感知器故障および断線の検出処理、及び火災発報時の火災を検出した火災感知器の特定処理を行わせている。
【００２５】
火災感知器４−１１〜４−ｍｎの上り信号応答部は、ＥＥＰＲＯＭ等の不揮発性メモリを備え、不揮発性メモリの所定のアドレスに特定位置の１ビットのみがビット１となる固有の番号データを記憶しており、受信機１からの下り信号に基づく番号データの読出しによるビット１の出力タイミングで上り信号を送出する。
【００２６】
受信機１にはＭＰＵ６が設けられ、ＭＰＵ６に対しては操作部８、警報表示部９、地区表示部１０、移報出力部１１及びメモリ１２が設けられている。
【００２７】
またＭＰＵ６の感知器回線側には回線単位に監視回路部７−１，７−２，・・・７−ｍが設けられる。監視回路部７−１〜７−ｍのそれぞれからは感知器回線１８−１〜１８−ｍが引き出され、火災感知器４−１１〜４−ｍｎを接続している。
【００２８】
監視回路部７−１〜７−ｍは、監視回路部７−１に代表して示すように、電圧制御回路１５、出力バッファ回路１６及び電流検出回路１７を備える。この監視回路部７−１〜７−ｍに対応してＭＰＵ６には、受信制御部１３の機能に加え監視制御部１４の機能が設けられている。
【００２９】
ＭＰＵ６の受信制御部１３は、回線単位に発報信号を検出して警報表示、即ち火災代表表示と地区表示（発報回線表示）を行う。更に、受信制御部１３は、感知器回線１８−１〜１８−ｍからの火災信号の受信時に、火災信号を受信した感知器回線に下り信号を送出し、火災を検出している火災感知器から上り信号を応答させ、火災を検出した火災感知器を特定し、火災発生地区を表示するなどの処理を実行する。
【００３０】
ＭＰＵ６の監視制御部１４は、監視時に、感知器回線１８−１〜１８−ｍ単位に下り信号を定期的に送出して火災感知器４−１１〜４−ｍｎから上り信号を応答させ、応答信号のない場合に、対応する火災感知器の故障あるいは感知器回線の断線と判断して障害表示する。
【００３１】
例えば感知器回線１８−１に対する下り信号の送出で、火災感知器４−１１のみから上り信号の応答がなければ、火災感知器４−１１の故障と判断する。また火災感知器４−１１のみから応答があり、火災感知器４−１１より後段に接続された火災感知器４−１２〜４−１ｎから応答がない場合には、火災感知器４−１１と火災感知器４−１２との間で感知器回線１８−１が断線したと判断できる。
【００３２】
断線監視制御部１４から火災感知器４−１１〜４−ｍｎに対する下り信号は、火災感知器４−１１〜４−ｍｎの上り信号応答部に設けているＥＥＰＲＯＭの所定アドレスに対する読出動作信号である。このＥＥＰＲＯＭの読出アドレスには、特定位置の１ビットのみを１、他を全て０とした感知器回線に対応した固有の番号データが予め書き込まれている。
【００３３】
このため火災感知器４−１１〜４−ｍｎは、受信機１からの下り信号によるＥＥＰＲＯＭの所定アドレスを指定した固有番号データの読出しによるビット１の出力タイミング（ビット１の出力期間）で、上り信号を感知器回線に送出して応答する。なお、ＥＥＰＲＯＭの読出アドレスの上り信号データは、特定位置のみをビット０とし、他の位置をビット１としても良い。
【００３４】
受信機１は、各感知器回線群１８毎に接続される火災感知器４の個数、アドレス、或いは接続順序などが記憶されており、火災感知器からの上り信号を受信して、火災警報や故障した感知器の特定や断線箇所の特定が可能となる。
【００３５】
受信機１の監視制御部１４による監視時の下り信号の定期的な送出は、感知器回線数が少ない場合は全回線を対象に一斉に送出しても良いが、感知器回線数が多い場合には、受信機の電源容量に見合う所定数の回線単位で順次送出する。勿論、１回線単位に順次確認信号を送ってもよい。また、下り信号の送出タイミングは、断線状態を速やかに検出するため、通常の監視時に１分以内間隔で定期的に行われる。
【００３６】
監視回路部７−１に設けている電圧制御回路１５は、火災感知器４−１１〜４−１ｎのＥＥＰＲＯＭの読出動作に必要なクロック及びデータを２値の電圧レベルで変化する下り信号に変換し、出力バッファ回路１６を介して感知器回線１８−１に送出する。この下り信号の信号レベルは、監視時は、監視レベルの１８ボルトとこれより高い信号レベルの２４ボルトの間で変化する。
【００３７】
一方、火災発報時は、火災を検出した火災感知器が感知器回線１８−１に所定の抵抗値で決まる発報電流Ｉｃを流すため、発報中は感知器回線の発報レベルは例えば６ボルトに低下する。このため火災発報時に電圧制御回路１５が出力バッファ回路１６を介して送出する下り信号は、発報レベルの６ボルトとこれより高い信号レベルの１２ボルトの間で変化する。
【００３８】
このように受信機１から感知器回線に送出する下り信号を２値の信号レベルで変化させるようにしたことに伴い、本発明にあっては、データビット０，１の下り信号への変換は、パルス幅変調により行う。このため火災感知器４−１１〜４−ｍｎ側は、受信した下り信号の１８ボルトの監視レベル時間の長短からデータビット０，１を検出する。
【００３９】
図２は図１の火災感知器の実施形態を示した回路ブロック図である。火災感知器４は、感知器回線の接続端子Ｌ，Ｃに続いて、整流・ノイズ吸収回路２１、発報回路２２、電源回路２４、信号処理回路２５及び検出回路２６を設けている。
【００４０】
検出回路２６は火災による煙や熱に応じた検出信号を信号処理回路２５に出力する。信号処理回路２５は、例えば検出回路２６からの検出信号が予め定めた火災判定の閾値を超えたときに発報回路２２に火災信号Ｅ２を出力し、後の説明で明らかにするＥＸ−ＯＲ回路３２の出力によるトランジスタ２３のスイッチングにより、感知器回線Ｌ，Ｃ間を抵抗Ｒで定まる発報電流Ｉｃを流し、これによって発報信号を受信機側に送出する。
【００４１】
また信号処理回路２５は、検出回路２６が例えば発光素子の間欠発光で煙による散乱光を検出する散乱光式煙検出回路の場合には、間欠発光で得られる火災検出信号の２カウントで発報回路２２を動作して発報信号を送出させる。また半導体素子などによる熱検出にあっては、コンパレータにより火災判断の閾値を超えたときに発報回路２２を動作して発報電流Ｉｃを流すことによる発報信号の出力動作を行う。
【００４２】
更に、火災感知器４は、受信機１からの下り信号に対し上り信号を返答するための固有信号応答部２７を設けている。固有信号応答部２７は、クロック検出回路２８、データ検出回路２９、チップセレクト検出回路３０、不揮発性メモリとしてのＥＥＰＲＯＭ３１、ＥＸ−ＯＲ回路（排他的論理和回路）３２及び発報検出回路３３で構成される。
【００４３】
クロック検出回路２８は、監視時に１８ボルトと２４ボルト、火災発報時は６ボルトと１２ボルトの間の電圧変化となる受信機１からの下り信号を入力して、下り信号のレベル変化に同期したクロックパルスを検出してＥＥＰＲＯＭ３１に出力する。
【００４４】
データ検出回路２９は、受信機１からの下り信号を入力し、監視時は１８ボルトの監視レベル時間の判定、また火災発報時は６ボルトの発報レベル時間の判定により、データビット０，１を検出して、ＥＥＰＲＯＭ３１の読出動作のためのオペコード、アドレス、データ出力タイミングを示すデータビットを出力する。
【００４５】
チップセレクト検出回路３０は感知器回線間の下り信号を入力し、下り信号が得られている時間に亘りチップセレクト検出信号を出力して、ＥＥＰＲＯＭ３１の読出動作のためのチップセレクトを行う。
【００４６】
発報検出回路３３は、同一感知器回線の他の火災感知器で火災検出による発報信号の送出が行なわれたときに、このときの感知器回線間の電圧から発報状態を検出し、信号処理回路２５の動作を抑止し、且つＥＥＰＲＯＭ３１による受信機１からの下り信号に対する上り信号応答のための読出動作を抑止するようにしている。
【００４７】
これによって同一感知器回線に接続されている複数の火災感知器のうち、最初に火災を検出して発報した火災感知器のみが火災信号の出力動作と、受信機からの検索のための下り信号に対する火災応答を行い、２番目以降に火災を検出した火災感知器における火災発報信号の出力と下り信号に対する火災応答を禁止させることで、最初に火災を検出した火災感知器との信号のやりとりの信頼性を向上させると共に、１報目の火災場所を特定することができる。
【００４８】
図３は感知器回線間の電圧パルス信号に対する図２のデータ検出回路２９及びチップセレクト検出回路３０の検出動作のタイムチャートであり、監視時の下り信号を例にとっている。図３（Ａ）は監視時に受信機１から感知器回線間に送出される下り信号であり、監視レベルの１８ボルトと信号レベルの２４ボルトの間で変化する電圧パルスを送出する。
【００４９】
この下り信号は周期Ｔを持っているが、データビット１，０に応じて１８ボルトとなる監視レベルの時間を変化させるパルス幅変調を行っている。例えば受信機からデータビット「１００１１」を送出する場合、ビット１については周期Ｔのうちの後半の１８ボルトの監視レベルの時間をＴ1時間とし、一方、データビット０については後半の１８ボルトの監視レベルの時間をそれより短いＴ0時間としている。
【００５０】
このため図２のデータ検出回路２９にあっては、入力した下り信号のパルス周期Ｔごとに１８ボルトの監視レベル時間を監視し、Ｔ1時間であればデータビット１を次のパルス周期で図３（Ｃ）のように出力し、Ｔ0時間であれば次の周期でデータビット０を出力する。
【００５１】
一方、図２のチップセレクト検出回路３０にあっては、図３（Ａ）のように受信機からの下り信号の送出により最初に感知器回線の電圧が監視レベルの１８ボルトから信号レベルの２４ボルトに増加したことを検出して、図３（Ｂ）のようにチップセレクト検出信号をＨレベルにオンする。
【００５２】
その後は、感知器回線間の下り信号が監視レベルの１８ボルトとなっている時間を監視し、データビット１の判定に使用しているＴ1時間より長いＴ2時間以上継続したときに、図３（Ｂ）のようにチップセレクト検出信号をＨレベルからＬレベルにオフする。これによって受信機から下り信号が得られている間、チップセレクト検出信号がＨレベルとなることでオンし、ＥＥＰＲＯＭ３１のチップセレクト動作を行うことになる。
【００５３】
なお図３（Ａ）の下り信号におけるＴ0，Ｔ1，Ｔ2時間の判定は、抵抗とコンデンサを用いた時定数回路の時定数をＴ0，Ｔ1，Ｔ2時間に対応させ、コンデンサの充電電圧をコンパレータなどで判定することにより検出するか、あるいは時間計測用のクロックパルスを電圧パルス信号のＬレベル区間（１８ボルト区間）に亘りカウンタで計数し、カウンタの計数値からＴ0時間であればデータビット０、Ｔ1時間であればデータビット１、更にＴ2時間であればチップセレクト検出信号のオフを行う。
【００５４】
次に図２の固有信号応答部２７に設けているＥＥＰＲＯＭ３１について説明する。ＥＥＰＲＯＭ３１は、そのアドレスごとに３２ビットデータＤ０〜Ｄ３１を記憶することができる。本発明のＥＥＰＲＯＭ３１にあっては、特定のアドレス例えばアドレス３８に、受信機１からの下り信号に対し上り信号を応答するための番号データを格納している。このアドレス３８の番号データとしては、３２ビットのデータビットＤ０〜Ｄ３１のうちの特定の１ビットにビット１を格納し、残りのビットは全てビット０としている。
【００５５】
図４は図１の感知器回線１８−１〜１８−ｍに接続している火災感知器４−１１〜４−ｍｎに設けたＥＥＰＲＯＭ３１−１１〜３１−ｍｎを示し、それぞれのアドレス３８に格納した番号データのビット１の位置を斜線部で示している。
【００５６】
例えば感知器回線１８−１に接続した火災感知器４−１１〜４−１ｎのＥＥＰＲＯＭ３１−１１〜３１−１ｎを例にとると、アドレス３８に格納した番号データおけるビット１となるデータビットは、データビットＤ３１，Ｄ３０・・・・・Ｄ０というように、感知器毎に順次ずらした位置としている。この点は残りの感知器回線１８−２〜１８−ｍに対応したＥＥＰＲＯＭ３１−２１〜３１−ｍｎについても同じである。
【００５７】
ＥＥＰＲＯＭ３１−１１〜３１−ｍｎの読出動作にあっては、番号データのデータビットＤ０〜Ｄ３１のうち、クロックに同期してデータビットＤ３１〜Ｄ０の順番にビット出力が行われる（シリアルビット出力）。
【００５８】
このため図４のように感知器回線１８−１〜１８−ｍ毎のＥＥＰＲＯＭ３１−１１〜３１−ｍｎのアドレス３８について、ビット１の格納ビット位置を順次ずらした番号データを格納しておくことで、受信機１からのアドレス３８の読出し動作を指定した下り信号に基づき、各感知器回線の火災感知器から上り信号を順番に応答させることができる。
【００５９】
なお、火災感知器４のＥＥＰＲＯＭ３１毎に固有に設定するデ−タビットは、同一感知器回線内で重複しなければ良く、違う感知器回線であれば重複しても監視を行うことに関して特に支障はない。
【００６０】
もし同一感知器回線内に重複して設定された場合は、２個の火災感知器から同時に上り信号が来るため、上り信号による感知器回線に流れる電流値が正常値と異なり大きくなる。これにより、同一回線内に２個以上の火災感知器に同一デ−タットを設定していることが受信機で判定でき、火災感知器の設定異常を警報することができる。
【００６１】
各感知器回線の終端用火災感知器に設定する固有のデ−タビットは、共通の終端用デ−タビット、例えばデ−タビットＤ３１に設定しておくと、受信機からの下り信号の送出による感知器回線の断線監視において、終端用の特定ビットタイミング(デ−タビットＤ３１)において上り信号がこなかった場合には自動的に断線障害と判断するようにしても良い。
【００６２】
図５は図２のＥＸ−ＯＲ回路３２による応答信号Ｅ１と火災信号Ｅ２の入力に対する出力と、ＥＸ−ＯＲ回路３２の出力に基づく発報回路２２による上り信号を一覧で示している。図５において、まず監視時の受信機１より下り信号が出力されていない状態では、応答信号Ｅ１及び火災信号Ｅ２が共にＬレベルであり、ＥＸ−ＯＲ回路３２の出力もＬレベルとなっており、上り信号としての電流は０となっている。
【００６３】
監視時に受信機１からの下り信号を受けて、ＥＥＰＲＯＭ３１がアドレス３８の特定のデータビット１の読出出力により応答信号Ｅ１をＨレベルとすると、このとき火災信号Ｅ２はＬレベルにあることから、ＥＸ−ＯＲ回路３２の出力はＨレベルとなる。ＥＸ−ＯＲ回路３２の出力がＨレベルとなると、発報回路２２のトランジスタ２３をスイッチングし、感知器回線Ｌ−Ｃ間に抵抗Ｒで定まる発報電流Ｉｃを流し、これが終端用火災感知器３からの上り信号として受信機１に送られる。
【００６４】
一方、火災時にあっては、火災信号Ｅ２がＨレベルとなり、応答信号Ｅ１がＬレベルの場合には、ＥＸ−ＯＲ回路３２の出力がＨレベルとなり、発報回路２２のトランジスタ２３をスイッチングし、抵抗Ｒで決まる発報電流Ｉｃを上り信号として感知器回線に流し、受信機１に火災発報信号を送出する。
【００６５】
この火災発報中に受信機１から下り信号が送出されると、ＥＥＰＲＯＭ３１から出力される応答信号Ｅ１がデータビット１の読出タイミングでＨレベルとなり、このためＥＸ−ＯＲ回路３２の出力は応答信号Ｅ１が出力されている区間のあいだＬレベルとなり、発報回路２２のトランジスタ２３をオフに復旧して一時的に発報電流を０とする上り信号なしの状態とする。
【００６６】
このため受信機１側にあっては、火災発報信号の受信中にあっても、その間に一時的に発報信号が断たれることで、火災感知器４からの下り信号に対する上り信号の応答であることを認識することができる。
【００６７】
図６は図２の火災感知器４に対する図１の受信機１からの監視時の下り信号に対する上り信号の応答動作を示したタイミングチャートである。なお図６にあっては、説明を簡単にするため、受信機１の監視回路部７−１から引き出された感知器回線１８−１に対してのみ確認信号を送出し、終端に設けた火災感知器４−１ｎが応答する場合を例にとっている。
【００６８】
図６（Ａ）は、図１の受信機１のＭＰＵ６に設けている断線監視制御部１４からの確認信号に基づき、監視回路部７−１より感知器回線１８−１に出力された下り信号であり、１８ボルトの監視レベルと２４ボルトの信号レベルの２値で変化させ、その周期Ｔにつき、図３（Ａ）に示したようにデータビット１については１８ボルトの監視レベル時間をＴ1時間、データビット０については１８ボルトの監視レベル時間をそれより短いＴ0時間としたパルス幅変調を行って、下り信号を送出している。
【００６９】
このような感知器回線１８−１の下り信号は、図２の火災感知器４のクロック検出回路２８に入力され、図６（Ｂ）のような下り信号の変化に同期したクロック信号を検出し、ＥＥＰＲＯＭ３１に対しクロックとして供給する。
【００７０】
ここで図６（Ｂ）のクロック信号は、一定のクロック周期となっていないが、その立ち上がりタイミングを有効として動作することから、クロック周期の相違は特に問題にはならない。
【００７１】
また下り信号の前半は、図６（Ｄ）に示すように、ダミークロック、スタートビット、読出オペコード、アドレスビットであることから、これを表わすデータビット０，１に対応したパルス幅変調が行われているが、後半のＥＥＰＲＯＭ３１の３２ビットデータのシリアル読出出力に使用するデータビットについては単なるクロックタイミングのみを与えることから、その部分についてはデューティ５０％の通常のクロックを持つ下り信号としており、これに同期して図６（Ｂ）のクロックもデューティ５０％のクロックパルスを検出している。
【００７２】
また図６（Ｃ）のように、チップセレクト検出回路３０は、図６（Ａ）における下り信号の最初の１８ボルトから２４ボルトへの電圧増加を検出してチップセレクト信号をＨレベルにオンし、このチップセレクト検出信号は下り信号が断たれて１８ボルトの監視レベル時間が図３のＴ2時間に達するとＬレベルにオフする。尚、デューティは通常５０％とするが、本発明の場合、デューティに対する制限は無い。
【００７３】
図６（Ｄ）はデータ検出回路２９で検出されたデータであり、先頭からダミークロック「００」、スタートビット「１」、読出オペコード「１０」、アドレスビット「１００１１０」（アドレス３８）、更に３２ビットのデータビットＤ３１〜Ｄ０に対応した読出タイミングを出力する。
【００７４】
この３２ビットのデータビットＤ３１〜Ｄ０のうち、例えば終端に位置する火災感知器４−１ｎを例にとると、図４のＥＥＰＲＯＭ３１−１ｎのように、データビットＤ３１に、斜線のようにデータビット１を予め格納しており、残りデータビットＤ３０〜Ｄ０はデータビット０が格納されており、データビット１を格納しているデータビットＤ３１の読出ビット出力がＥＥＰＲＯＭ３１−１から出力される応答信号Ｅ１となる。
【００７５】
このため監視時にあっては、図６（Ｅ）のように、ビット１を格納している先頭のデータビットＤ３１の読出ビット出力が応答信号Ｅ１をＨレベルとしてＥＸ−ＯＲ回路３２に入力し、その出力をＨレベルとし、発報回路２２のトランジスタ２３をスイッチングし、これによって抵抗Ｒで定まる発報電流Ｉｃを図６（Ｅ）のように監視時の応答電流として感知器回線Ｌ−Ｃ間に流し、これによって受信機１からの確認信号に対し火災感知器４−１ｎは上り信号を応答することになる。
【００７６】
終端の火災感知器４−１ｎから上り信号が受信されない場合、つまりデ−タビットＤ３１の位置においてビット１の上り信号が受信できなかった場合には、終端の火災感知器４−１ｎの異常もしくは、感知器回線１８−１の断線であるため、異常警報を出力する。
【００７７】
他の火災感知器４も同様にして、受信機１からの下り信号に対する応答信号として火災感知器毎に定められた特定デ−タビットの位置でビット１を返送する。よって、図６（Ｅ）に示すようにデ−タビットＤ３１からＤOのタイミングで火災感知器４から順次返送される。
【００７８】
受信機１は接続されている火災感知器４それぞれの固有デ−タビット位置を記憶しておくことで、接続されている火災感知器の全てから上り信号を受信すれば感知器が正常であると判断し、記憶したデ−タビット位置において上り信号を受信しない場合は、そのデ−タビット位置に対応する火災感知器４が故障であると判断し、異常表示を行う。
【００７９】
また、受信機においては感知器回線１８に接続された火災感知器４の個数を記憶しておき、上り信号のビット数を計数して、記憶している感知器接続個数と同じかどうかを比較して、全ての火災感知器の正常異常を判断するようにしてもよい。
【００８０】
さらに、複数の火災感知器から応答がない場合に火災感知器の接続順序が予めわかっていれば、感知器回線１８のどの場所で断線しているかを判断することができ、より詳細な異常表示を行うことができる。
【００８１】
図７は、火災発報時に、図１の受信機１からの下り信号に対する上り信号の応答動作を図６と同じ火災感知器４−１ｎを例にとって示したタイミングチャートである。
【００８２】
火災感知器４−１ｎで火災を検出した場合、信号処理回路２５から出力される火災信号Ｅ２がＨレベルとなり、このとき応答信号Ｅ１はＬレベルであることから、ＥＸ−ＯＲ回路３２の出力がＨレベルとなり、発報回路２２のトランジスタ２３をスイッチングし、抵抗Ｒで定まる発報電流Ｉｃを例えば図７（Ｆ）のように火災発生時から継続的に感知器回線１８−１に流し、受信機に対し火災信号を送出する。
【００８３】
このような火災信号を受信機１が受信すると、火災が発生した感知器回線１８を示した所謂Ｐ型方式の火災警報動作を行った後に、その受信制御部１３が火災を検出した感知器を検索するための下り信号を送出し、図７（Ａ）のように、６ボルトの発報レベルと１２ボルトの信号レベルとの間で変化し、発報レベルの時間長がデータビット０でＴ0時間、データビット１でＴ1時間にパルス幅変調された下り信号として受信される。
【００８４】
このため図６と同様にして図７（Ｂ）〜（Ｄ）のように、クロック信号、チップセレクト検出信号およびデータが検出され、ＥＥＰＲＯＭ３１−１ｎのアドレス３８からの読出動作が行われる。そして、火災感知器４−１ｎにあっては、図７（Ｄ）のデータビットＤ３１のビット出力のタイミングで応答信号Ｅ１がＨレベルとなり、このとき火災信号Ｅ２もＨレベルであることから、ＥＸ−ＯＲ回路３２の出力はデータビットＤ３１の読出期間の間、Ｌレベルとなってトランジスタ２３をオフし、図７（Ｅ）のように一時的に発報電流Ｉｃが断たれ、これによって受信機１にあっては火災を検出している火災感知器４−１ｎからの上り信号の応答を認識することができる。
【００８５】
一方、火災感知器４−１ｎの火災検出中に、同一感知器回線１８−１に接続している他の火災感知器で火災が検出された場合には、その発報検出回路３３により他の火災感知器による発報が検出されて、ＥＥＰＲＯＭの読出動作が抑止されているため、２番目以降に火災を検出した火災感知器からの火災信号の送出および下り信号に対する上り信号の応答は行なわれない。
【００８６】
図８は、受信機１から送出する下り信号の他の実施形態である。図３、図６の実施形態においては、受信機１からの下りは一定周期毎に１８ボルトの監視レベル時間をデータビット０，１に応じて変化させて送出しているが、これに限らず、例えば図８に示すように、一定周期でなく、１８ボルトの監視レベル時間が共通で、その後に続く２４ボルトの信号レベル時間を変えたパルス幅変調による下り信号として感知器回線に出力するようにしても良い。
【００８７】
更に、データビット０，１に応じた時間の長短を、監視レベル時間とするか信号レベル時間とするかも必要に応じて任意に決めることができる。
【００８８】
図９は図２の火災感知器４の他の実施形態である。図９は図２の発報検出回路３３を取り除いた構成としており、同一の感知器回線において、他の火災感知器の発報状態にかかわらず信号処理回路２５からの火災信号E２をＥＸ−ＯＲ回路３２へ出力する。
【００８９】
図１０は図９の火災感知器４を使用した場合で、終端の火災感知器４−１ｎで火災を検出した場合の、各火災感知器の応答動作のタイミングチャ−トである。図１０（Ｅ）に示すように、火災を検出した終端火災感知器４−lｎはデ−タビットＤ３１において、応答信号E１及び火災信号E２が共にHレベルになることから、ＥＸ−ＯＲ回路３２は応答信号Elが出力されている区問のあいだLレベルとなり、発報回路２２のトランジスタ２３をオフして復旧して一時的に発報電流を０にする上り信号なしの状態とする。このため受信機１は終端の火災感知器４−lｎが火災を検出したと特定できる。
【００９０】
続いて、火災を検出していない火災感知器は、感知器固有のデ−タビットＤ３０〜ＤO内のタイミングで応答信号Elを出力し、ＥＸ−ＯＲ回路３２がHレベルとなり、発報回路２２のトランジスタ２３をオンする。すると、図１０（Ｅ）に示すように、火災感知器４−lｎの発報電流と重畳されることになる。この構成であっても、確実に火災を検出した火災感知器を特定することができ、Ｐ型システムの感知器回線単位の警報表示よりも、より詳細な火災発生場所を特定した警報表示を行うことができる。
【００９１】
図１１は、火災感知器４のさらに他の実施形態である。図１１は、図１０の火災感知器４において、発報回路２２のトランジスタ２３の前段にツェナ−ダイオ−ドＺＤ１を備えた構成としている。同一感知器回線において、同時に発報する火災感知器の数が多くなるなどして、感知器回線Ｌ−Ｃの電圧が極端に低下していくと、火災感知器内の固有信号応答部２７や火災検出機能が正確に動作できなくなる。
【００９２】
これを防ぐために、L−C電圧がツェナ−ダイオ−ドＺＤ１で決定される所定の電圧値よりも低下すると、ツェナ−ダイオ−ドＺＤ１がオフして、受信機への応答動作を禁止させるようにした。ツェナ−ダイオ−ドＺＤ１の設定電圧は、例えば１０Ｖ程度に設定する。
【００９３】
なお、図４のＥＥＰＲＯＭのアドレス３８の格納データについては、データサイズである３２ビットに対応して各回線に設けている火災感知器の台数ｎをｎ＝３２台とした場合を例にとっているが、これは１回線に接続できる火災感知器の数を最大構成とした場合であり、最大構成以内の数であれば各感知器回線に必要な数だけの火災感知器を設けることができる。
【００９４】
また、ＥＥＰＲＯＭが出力する感知器固有のビットは１に限定されるものではなく、逆の特定ビット０で他ビットはすべて１に設定されてあってもよく、受信機において特定ビットを検出できるようになっていれば良い。
【００９５】
また、上記の実施形態にあっては、下り信号を２値の信号レベル間で変化させることにより、送信側および受信側の回路構成を簡単にするようにしているが、図１０の従来例のように、３値で信号レベルを変化させるようにしても良い。
【００９６】
なお、一つの感知器回線に接続する数がデ−タビット数３２よりも多い場合は、ＥＥＰＲＯＭ３１のアドレス３８では全て割り当てられないため、その場合は、ＥＥＰＲＯＭ３１の他のアドレス、例えばアドレス３９を使用して残りの火災感知器をビット設定するようにしても良い。この場合は、感知器回線に対してアドレス３８及び３９を使った下り信号を順次送ることにより、確認をすることになる。
【００９７】
また、通常の監視状態においては、火災感知器４の機能試験は不要であり、終端用火災感知器のみに確認信号を送出して断線監視のみを行い、火災感知器４の機能試験を断線監視よりも幾分長い間隔で行う方法でもよい場合は、図１２のＥＥＰＲＯＭのアドレスと記憶デ−タに示すように、断線監視用の読み込みアドレス３８と、感知器の機能試験用の読み込みアドレス３９と２つ設定して、通常の断線監視時には、アドレス３８の確認信号の送信で終端用火災感知器５からのみ応答信号を受けるようにし、火災感知器４の動作が正常であるかの機能試験を行う場合、アドレス３９を使用した読み込み動作で、各火災感知器からそれぞれ割り振られたビット毎に応答信号を受信して、試験を行っても良い。
【００９８】
さらに火災検出時の火災感知器の特定動作の場合は、アドレス３９を使用した読み込み動作で、火災を検出した火災感知器が一時的に感知器回線の短絡を解除させる動作を行うようにしても良い。
【００９９】
また、本実施形態においては、終端用の火災感知器の返信信号の有無により感知器回線の断線を判断するが、従来の図９に示したように、断線監視は感知器回線の終端に接続した終端抵抗による監視を行い、感知器の正常判断及び火災発報端末の特定を図２の火災感知器などの構成で行うようにしても良い。
【０１００】
また、本実施例の火災感知器においては、ＥＥＰＲＯＭのアドレスビットの読み込み動作により、感知器機能監視と火災を検出した火災感知器の特定を行っているが、これに限らず、火災感知器にCPUを設けて同様の動作を行うようにしても良い。
【０１０１】
例えば、通常監視時の受信機からの確認用の下り信号に対しては、感知器毎に固有に決まったタイミングで一時的に感知器回線を短絡状態にさせ、火災検出時には感知器回線を継続して短絡状態にさせ、そして火災発報時の感知器特定時には、短絡状態の感知器回線を一時的に短絡を解除するなど、同様の動作を行うことができる。この場合にはＥＸ−ＯＲ回路やＥＥＰＲＯＭ等を排除して達成することもできる。
【図面の簡単な説明】
【０１０２】
【図１】本発明の火災報知システムの説明図
【図２】図１の火災感知器のブロック図
【図３】本発明における下り信号と図２のデータ検出回路によるデータ検出処理のタイムチャート
【図４】図１の火災感知器におけるＥＥＰＲＯＭのアドレスと記憶データの説明図
【図５】図２のＥＸ−ＯＲ回路による固有信号応答と火災発報の論理表の説明図
【図６】図２の火災感知器における監視時のＥＥＰＲＯＭの読出しによる固有信号応答動作のタイミングチャート
【図７】図２の火災感知器における火災発報時のＥＥＰＲＯＭの読出しによる固有信号応答動作のタイミングチャート
【図８】ＥＥＰＲＯＭの読出クロックが不揃いとなる場合の図２のデータ検出回路による他のデータ検出処理のタイムチャート
【図９】火災感知器の他の実施形態の説明図
【図１０】図９の火災感知器を使用した場合の固有信号応答動作のタイミングチャート
【図１１】火災感知器の他の実施形態の説明図
【図１２】ＥＥＰＲＯＭのアドレスと記憶データの他の実施形態の説明図
【図１３】従来のＰ型の火災報知システムの説明図
【図１４】従来のＰ型の火災報知システムにおける火災発報時の感知器応答動作のタイミングチャート
【符号の説明】
【０１０３】
１：受信機
４：火災感知器
５：終端用火災感知器
６：ＭＰＵ
７−１〜７−ｍ：監視回路部
８：操作部
９：警報表示部
１０：地区表示部
１１：移報出力部
１２：メモリ
１３：受信制御部
１４：断線監視制御部
１５：電圧制御回路
１６：出力バッファ回路
１７：電流検出回路
１８−１〜１８−ｍ：感知器回線
２１：整流・ノイズ吸収回路
２２：発報回路
２３：トランジスタ
２４：電源回路
２５：信号処理回路
２６：検出回路
２７：固有信号応答部
２８：クロック検出回路
２９：データ検出回路
３０：チップセレクト検出回路
３１：ＥＥＰＲＯＭ（不揮発性メモリ）
３２：ＥＸ−ＯＲ回路
３３：発報検出回路
【図１】
2005250926.tif 000003
【図２】
2005250926.tif 000004
【図３】
2005250926.tif 000005
【図４】
2005250926.tif 000006
【図５】
2005250926.tif 000007
【図６】
2005250926.tif 000008
【図７】
2005250926.tif 000009
【図８】
2005250926.tif 000010
【図９】
2005250926.tif 000011
【図１０】
2005250926.tif 000012
【図１１】
2005250926.tif 000013
【図１２】
2005250926.tif 000014
【図１３】
2005250926.tif 000015
【図１４】
2005250926.tif 000016